(57)【要約】      （修正有）【課題】他の機器と光通信を行うことが可能であるとともに、誤動作するのを抑制することが可能な画像形成装置を提供することである。【解決手段】この画像形成装置（昇華型プリンタ）は、他の機器から出射される赤外線を受光可能な赤外線受光部１３ａと、赤外線受光部１３ａの近傍に配置されるとともに、表示用の光を出射する表示用ＬＥＤ１２と、赤外線受光部１３ａと表示用ＬＥＤ１２との間に配置された遮光リブ３２ａとを備える。【選択図】図７
2008132678.tif 000002
【特許請求の範囲】
【請求項１】
光信号を受光可能な光通信用の受光部と、前記光通信用の受光部の近傍に配置されるとともに、表示用の光を出射する発光素子部とを備えた画像形成装置において、
前記光通信用の受光部と前記表示用の発光素子部との間に配置された遮光リブと、
前記光通信用の受光部を覆うように配置され、可視光線を遮るとともに赤外線を透過可能なフィルタ機能を有する赤外線フィルタ部と、
前記赤外線フィルタ部が取り付けられ、スイッチ押圧部を有するボタン部と、
前記ボタン部を押圧方向に移動可能に支持するボタン支持部と、
前記ボタン部の前記スイッチ押圧部に対向する位置に配置されたスイッチ部と、
前記光通信用の受光部近傍に設けられた電子部品とをさらに備え、
前記光通信用の受光部は、他の機器から出射される光信号を受光可能に構成され、
前記ボタン部は、押圧されることによって、前記ボタン部の前記スイッチ押圧部が前記スイッチ部を押圧するように、かつ、前記発光素子部から出射される表示用の可視光線の透過が可能なように構成され、
前記遮光リブは、
前記赤外線フィルタ部に一体的に設けられ、前記ボタン部が押圧されていない状態のみならず、前記ボタン部が押圧された状態においても、前記電子部品に接触しない位置で、かつ、前記表示用の発光素子部からの光が前記光通信用の受光部へ到達することを抑制することが可能な位置に配置され、
前記遮光リブは、前記表示用の発光素子部から出射される光が前記光通信用の受光部に向かう方向と交差する方向に延びるように設けられ、
前記遮光リブは、前記ボタン部の係合部が係合されることにより、前記ボタン部に前記赤外線フィルタ部を取り付けるための係合孔部を有する、画像形成装置。
【請求項２】
他の機器から出射される光信号を受光可能な光通信用の受光部と、
前記光通信用の受光部の近傍に配置されるとともに、表示用の光を出射する発光素子部と、
前記光通信用の受光部と前記表示用の発光素子部との間に配置された遮光リブとを備えた、画像形成装置。
【請求項３】
前記光通信用の受光部を覆うように配置され、可視光線を遮るとともに赤外線を透過可能なフィルタ機能を有する赤外線フィルタ部と、
前記赤外線フィルタ部が取り付けられ、スイッチ押圧部を有するボタン部と、
前記ボタン部を押圧方向に移動可能に支持するボタン支持部と、
前記ボタン部の前記スイッチ押圧部に対向する位置に配置されたスイッチ部とをさらに備え、
前記遮光リブは、前記赤外線フィルタ部に一体的に設けられている、請求項２に記載の画像形成装置。
【請求項４】
前記光通信用の受光部近傍に設けられた電子部品をさらに備え、
前記ボタン部は、押圧されることによって、前記ボタン部の前記スイッチ押圧部が前記スイッチ部を押圧するように構成されており、
前記遮光リブは、前記ボタン部が押圧されていない状態のみならず、前記ボタン部が押圧された状態においても、前記電子部品に接触しない位置で、かつ、前記表示用の発光素子部からの光が前記光通信用の受光部へ到達するのを抑制することが可能な位置に配置される、請求項３に記載の画像形成装置。
【請求項５】
前記ボタン部は、前記発光素子部から出射される表示用の可視光線の透過が可能なように構成されている、請求項３または４に記載の画像形成装置。
【請求項６】
前記ボタン部は係合部を含み、
前記赤外線フィルタ部に一体的に設けられた前記遮光リブは、前記表示用の発光素子部から出射される光が前記光通信用の受光部に向かう方向と交差する方向に延びるように設けられ、前記ボタン部の係合部が係合されることにより、前記ボタン部に前記赤外線フィルタ部を取り付けるための係合孔部を有する、請求項３〜５のいずれか１項に記載の画像形成装置。
【発明の詳細な説明】
【技術分野】
【０００１】
この発明は、画像形成装置に関し、特に、光信号を受光可能な光通信用の受光部と、表示用の光を出射する発光素子部とを備えた画像形成装置に関する。
【背景技術】
【０００２】
従来、光信号を受光可能な光通信用の受光部と、表示用の光を出射する発光素子部とを備えた種々の電子機器が知られている（たとえば、特許文献１〜３参照）。
【０００３】
上記特許文献１には、空気調和機などに設けられる表示装置が開示されている。この特許文献１による表示装置は、赤外線信号（光信号）を受信する光通信用の赤外線受光部と、赤外線受光部の近傍に配置され、表示用の光を出射するＬＥＤとを備えている。この表示装置では、赤外線信号（光信号）を受信する光通信用の赤外線受光部と表示用の光を出射するＬＥＤとの間には、表示用ＬＥＤの光を遮光する部材が設けられていない。
【０００４】
また、上記特許文献２には、照明器具を点灯させるための装置として、壁スイッチが開示されている。この特許文献２による壁スイッチは、光信号を受信する光通信用の受光素子と、受光素子の近傍に配置され、表示用の光を出射するＬＥＤとを備えている。この壁スイッチでは、光信号を受信する光通信用の受光素子と表示用の光を出射するＬＥＤとの間には、表示用ＬＥＤの光を遮光する部材が設けられていない。
【０００５】
また、上記特許文献３には、光信号を受信する光通信用の受光素子と、受光素子に対向するように受光素子の近傍に配置される発光素子と、受光素子の近傍に配置され、表示用の光を出射する発光ダイオードとを備えるスイッチ装置が開示されている。このスイッチ装置では、受光素子および発光素子は、共にスイッチ装置の内部に配置されており、受光素子は、スイッチ装置の内部に配置された発光素子からの光信号を受信することにより動作するように構成されている。
【０００６】
【特許文献１】実開平０６−７２１３１号公報
【特許文献２】特開平１１−２５８２２号公報
【特許文献３】実用新案登録第３００２８６９号公報
【発明の開示】
【発明が解決しようとする課題】
【０００７】
しかしながら、上記特許文献１に記載の表示装置では、赤外線信号（光信号）を受信する光通信用の赤外線受光部と表示用の光を出射するＬＥＤとの間には、表示用ＬＥＤの光を遮光する部材が設けられていないので、赤外線受光部が表示用ＬＥＤから出射される光を受光することにより、表示装置が誤動作する場合があるという問題点がある。
【０００８】
また、上記特許文献２に記載の壁スイッチでは、光信号を受信する光通信用の受光素子と表示用の光を出射するＬＥＤとの間には、表示用ＬＥＤの光を遮光する部材が設けられていないので、光通信用の受光素子が表示用ＬＥＤから出射される光を受光することにより、壁スイッチが誤動作する場合があるという問題点がある。
【０００９】
また、上記特許文献３に記載のスイッチ装置では、受光素子は、スイッチ装置の内部に配置された発光素子からの光信号を受信することにより動作するように構成されているので、スイッチ装置は、他の機器と光通信を行うことができないという問題点がある。
【００１０】
この発明は、上記のような課題を解決するためになされたものであり、この発明の１つの目的は、他の機器と光通信を行うことが可能であるとともに、誤動作するのを抑制することが可能な画像形成装置を提供することである。
【課題を解決するための手段および発明の効果】
【００１１】
この発明の第１の局面による画像形成装置は、光信号を受光可能な光通信用の受光部と、光通信用の受光部の近傍に配置されるとともに、表示用の光を出射する発光素子部とを備えた画像形成装置において、光通信用の受光部と表示用の発光素子部との間に配置された遮光リブと、光通信用の受光部を覆うように配置され、可視光線を遮るとともに赤外線を透過可能なフィルタ機能を有する赤外線フィルタ部と、赤外線フィルタ部が取り付けられ、スイッチ押圧部を有するボタン部と、ボタン部を押圧方向に移動可能に支持するボタン支持部と、ボタン部のスイッチ押圧部に対向する位置に配置されたスイッチ部と、光通信用の受光部近傍に設けられた電子部品とをさらに備え、光通信用の受光部は、他の機器から出射される光信号を受光可能に構成され、ボタン部は、押圧されることによって、ボタン部のスイッチ押圧部がスイッチ部を押圧するように、かつ、発光素子部から出射される表示用の可視光線の透過が可能なように構成され、遮光リブは、赤外線フィルタ部に一体的に設けられ、ボタン部が押圧されていない状態のみならず、ボタン部が押圧された状態においても、電子部品に接触しない位置で、かつ、表示用の発光素子部からの光が光通信用の受光部へ到達するのを抑制することが可能な位置に配置され、遮光リブは、表示用の発光素子部から出射される光が光通信用の受光部に向かう方向と交差する方向に延びるように設けられ、遮光リブは、ボタン部の係合部が係合されることにより、ボタン部に赤外線フィルタ部を取り付けるための係合孔部を有する。
【００１２】
この第１の局面による画像形成装置では、上記のように、光通信用の受光部と表示用の発光素子部との間に遮光リブを配置することによって、表示用の発光素子部から出射された光が光通信用の受光部へ到達するのを抑制することができるので、光通信用の受光部が表示用の発光素子部から出射される光を受光するのを抑制することができる。これにより、光通信用の受光部が表示用の発光素子部から出射される光を受光することにより、画像形成装置が誤動作するのを抑制することができる。また、他の機器から出射される光信号を受光可能な光通信用の受光部を設けることによって、他の機器と光通信を行うことができる。
【００１３】
また、第１の局面による画像形成装置では、光通信用の受光部を覆うように配置され、可視光線を遮るとともに赤外線を透過可能なフィルタ機能を有する赤外線フィルタ部と、赤外線フィルタ部が取り付けられ、スイッチ押圧部を有するボタン部と、ボタン部を押圧方向に移動可能に支持するボタン支持部と、ボタン部のスイッチ押圧部に対向する位置に配置されたスイッチ部とを備え、遮光リブを、赤外線フィルタ部に一体的に設けることによって、可視光線を遮る赤外線フィルタ部により光通信用の受光部を覆うことができるので、光通信用の受光部に、表示用の発光素子部から出射される光のみならず、その他の可視光線が到達するのを抑制することができる。これにより、光通信用の受光部が、表示用の発光素子部から出射される光のみならず、その他の可視光線を受光するのを抑制することができるので、画像形成装置が誤動作するのをより抑制することができる。また、光通信用の受光部近傍に設けられた電子部品を備え、ボタン部を、押圧されることにより、ボタン部のスイッチ押圧部がスイッチ部を押圧するように構成し、遮光リブを、ボタン部が押圧されていない状態のみならず、ボタン部が押圧された状態においても、電子部品に接触しない位置で、かつ、表示用の発光素子部からの光が光通信用の受光部へ到達するのを抑制することが可能な位置に配置することによって、ボタン部が押圧されていない状態およびボタン部が押圧された状態の両方の状態において、受光部が表示用の発光素子部から出射される光を受光するのを抑制することができるので、画像形成装置が誤動作するのをより抑制することができる。また、ボタン部を、発光素子部から出射される表示用の可視光線の透過が可能なように構成することによって、発光素子部から出射される可視光線を、ボタン部を透過させることができるので、使用者に発光素子部から出射される可視光線を視認させることができる。また、ボタン部に係合部を設け、赤外線フィルタ部に一体的に設けられた遮光リブを、表示用の発光素子部から出射される光が光通信用の受光部に向かう方向と交差する方向に延びるように設け、遮光リブに、ボタン部の係合部を係合することによりボタン部に赤外線フィルタ部を取り付けるための係合孔部を設けることによって、赤外線フィルタ部をボタン部に、容易に取り付けることができる。また、遮光リブを、表示用の発光素子部から出射される光が光通信用の受光部に向かう方向と交差する方向に延びるように設けることによって、表示用の発光素子部から出射された光が受光部へ到達することをより抑制することができる。
【００１４】
この発明の第２の局面による画像形成装置は、他の機器から出射される光信号を受光可能な光通信用の受光部と、光通信用の受光部の近傍に配置されるとともに、表示用の光を出射する発光素子部と、光通信用の受光部と表示用の発光素子部との間に配置された遮光リブとを備える。
【００１５】
この第２の局面による画像形成装置では、上記のように、光通信用の受光部と表示用の発光素子部との間に遮光リブを配置することによって、表示用の発光素子部から出射された光が光通信用の受光部へ到達するのを抑制することができるので、光通信用の受光部が表示用の発光素子部から出射される光を受光するのを抑制することができる。これにより、光通信用の受光部が表示用の発光素子部から出射される光を受光することにより、画像形成装置が誤動作するのを抑制することができる。また、他の機器から出射される光信号を受光可能な光通信用の受光部を設けることによって、他の機器と光通信を行うことができる。
【００１６】
上記第２の局面による画像形成装置においては、好ましくは、光通信用の受光部を覆うように配置され、可視光線を遮るとともに赤外線を透過可能なフィルタ機能を有する赤外線フィルタ部と、赤外線フィルタ部が取り付けられ、スイッチ押圧部を有するボタン部と、ボタン部を押圧方向に移動可能に支持するボタン支持部と、ボタン部のスイッチ押圧部に対向する位置に配置されたスイッチ部とをさらに備え、遮光リブは、赤外線フィルタ部に一体的に設けられている。このように構成すれば、可視光線を遮る赤外線フィルタ部によって光通信用の受光部を覆うことができるので、光通信用の受光部に、表示用の発光素子部から出射される光のみならず、その他の可視光線が到達するのを抑制することができる。これにより、光通信用の受光部が、表示用の発光素子部から出射される光のみならず、その他の可視光線を受光するのを抑制することができるので、画像形成装置が誤動作するのをより抑制することができる。
【００１７】
上記赤外線フィルタ部とボタン部とボタン支持部とスイッチ部とを備えた画像形成装置において、好ましくは、光通信用の受光部近傍に設けられた電子部品をさらに備え、ボタン部は、押圧されることによって、ボタン部のスイッチ押圧部がスイッチ部を押圧するように構成されており、遮光リブは、ボタン部が押圧されていない状態のみならず、ボタン部が押圧された状態においても、電子部品に接触しない位置で、かつ、表示用の発光素子部からの光が光通信用の受光部へ到達するのを抑制することが可能な位置に配置される。このように構成すれば、ボタン部が押圧されていない状態およびボタン部が押圧された状態の両方の状態において、受光部が表示用の発光素子部から出射される光を受光するのを抑制することができるので、画像形成装置が誤動作するのをより抑制することができる。
【００１８】
上記赤外線フィルタ部とボタン部とボタン支持部とスイッチ部とを備えた画像形成装置において、好ましくは、ボタン部は、発光素子部から出射される表示用の可視光線の透過が可能なように構成されている。このように構成すれば、発光素子部から出射される可視光線を、ボタン部を透過させることができるので、使用者に発光素子部から出射される可視光線を視認させることができる。
【００１９】
上記赤外線フィルタ部とボタン部とボタン支持部とスイッチ部とを備えた画像形成装置において、好ましくは、ボタン部は係合部を含み、赤外線フィルタ部に一体的に設けられた遮光リブは、表示用の発光素子部から出射される光が光通信用の受光部に向かう方向と交差する方向に延びるように設けられ、ボタン部の係合部が係合されることにより、ボタン部に赤外線フィルタ部を取り付けるための係合孔部を有する。このように構成すれば、赤外線フィルタ部をボタン部に、容易に取り付けることができる。また、遮光リブを、表示用の発光素子部から出射される光が光通信用の受光部に向かう方向と交差する方向に延びるように設けることによって、表示用の発光素子部から出射された光が受光部へ到達することをより抑制することができる。
【発明を実施するための最良の形態】
【００２０】
以下、本発明を具体化した実施形態を図面に基づいて説明する。
【００２１】
図１は、本発明の一実施形態による昇華型プリンタの全体構成を示す斜視図である。図２〜図１３は、図１に示した本発明の一実施形態による昇華型プリンタのボタン部周辺の詳細構造を説明するための図である。図１〜図１３を参照して、本発明の一実施形態による昇華型プリンタの構造について説明する。なお、本実施形態では、画像形成装置の一例である昇華型プリンタに本発明を適用した場合について説明する。
【００２２】
本実施形態による昇華型プリンタ１０は、図１および図２に示すように、印画を行う印画部（図示せず）を覆う筐体１１（図１参照）と、筐体上面１１ａに配置され、押圧可能な電源用ボタン３０と、筐体１１の内部に配置され、電源用ボタン３０を点灯させるために、電源用ボタン３０の下方に配置される４つの表示用ＬＥＤ１２（図２参照）と、赤外線通信（光通信）が可能な携帯電話６０などの外部機器と赤外線通信（光通信）を行うための赤外線通信部１３（図２参照）と、用紙５０（図１参照）が収納され、筐体１１の矢印Ａ方向の前面１１ｂに着脱可能に配置された用紙カセット４０（図１参照）とを備える。
【００２３】
また、筐体１１は、図１に示すように電源用ボタン３０を挿入するための電源用ボタン穴１１ｃと、電源用ボタン３０を取り付けるための電源用ボタン係合部１１ｄ（図７参照）とを有している。また、筐体１１の内部には、電源用ボタン３０を押圧時および非押圧時において支持するボタン支持部１４が設けられている。
【００２４】
また、電源用ボタン３０は、図２に示すように、電源のＯＮ状態とＯＦＦ状態とを切り替えるために押圧されるボタン部３１と、ボタン部３１に取り付け可能な赤外線フィルタ部３２と、ボタン部３１を筐体１１に取り付ける際に補助器具の役目をする補助リング３３とによって構成されている。
【００２５】
また、電源用ボタン３０は、図３および図４に示すように、筐体１１（図１参照）に設けられたボタン支持部１４によって支持されて、表示用ＬＥＤ１２（図２参照）と赤外線通信部１３（図２参照）とを覆うように配置されている。
【００２６】
また、赤外線通信部１３は、携帯電話６０などの外部機器から出射される光信号を受信するための赤外線受光部１３ａと、携帯電話６０などの外部機器に光信号を送信するための赤外線送信部１３ｂとを含む。また、赤外線受光部１３ａおよび赤外線送信部１３ｂは、それぞれ、約３０度の角度の範囲で光信号の受信および送信が可能なように構成されている。なお、赤外線受光部１３ａは、本発明の「光通信用の受光部」の一例であり、４つの表示用ＬＥＤ１２は、本発明の「表示用の発光素子部」の一例である。また、赤外線通信部１３は、図２および図５に示すように、基板部１５に取り付けられている。基板部１５には、赤外線通信部１３の赤外線受光部１３ａおよび赤外線送信部１３ｂが取り付けられた部分の後方側（矢印Ｂ方向側）に電子部品１６〜１８が設置されている。また、基板部１５は、基板台１９によって水平方向に対して約１５度上向きの角度（図７の矢印Ｇ方向）で支持されている。これによって、約３０度の角度の範囲で光信号の受信および送信が可能な赤外線受光部１３ａおよび赤外線送信部１３ｂは、筐体１１が水平に設置された状態において、水平面から上方側に３０度の範囲で光信号を受信および送信することが可能となる。
【００２７】
また、４つの表示用ＬＥＤ１２は、基板部２０の上面に設置されている。この基板部２０は、基板台１９の後方側（矢印Ｂ方向側）に配置されている。基板部２０には、４つの表示用ＬＥＤ１２に取り囲まれる位置にスイッチ部２１が取り付けられているとともに、４つの表示用ＬＥＤ１２の矢印Ｃ方向側および矢印Ｄ方向側にそれぞれ表示用ＬＥＤ１２を点灯させるための電子部品２２および２３が配置されている。また、基板部２０は、脚部２５を介して天板２４に取り付けられている。この天板２４には、基板部１５を支持する基板台１９も取り付けられている。
【００２８】
ここで、本実施形態では、図６、図７および図９に示すように、ボタン部３１は平面的に見て、基板部１５と、４つの表示用ＬＥＤ１２と、スイッチ部２１とを覆うような位置に配置されている。また、ボタン部３１には、電源用ボタン３０が押圧される際に、スイッチ部２１を押圧するためのスイッチ押圧部３１ａが形成されている。このスイッチ押圧部３１ａは、スイッチ部２１の直上に配置されている。
【００２９】
また、赤外線フィルタ部３２は、図６および図７に示すように、平面的に見て、赤外線送信部１３ｂと赤外線受光部１３ａとを含む赤外線通信部１３の直上に配置されている。これにより、赤外線送信部１３ｂが出射する赤外線および赤外線受光部１３ａが受光する赤外線が、赤外線フィルタ部３２を透過して赤外線通信部１３が携帯電話６０などの外部機器と光通信することが可能である。
【００３０】
また、本実施形態では、赤外線フィルタ部３２には、遮光リブ３２ａが一体的に設けられている。この遮光リブ３２ａは、赤外線通信部１３と４つの表示用ＬＥＤ１２との間に介在するように配置されている。
【００３１】
また、ボタン部３１が取り付けられた補助リング３３は、筐体１１の内部に取り付けられたボタン支持部１４によって、図７および図８に示す矢印Ｅ方向および矢印Ｆ方向の移動が可能なように支持された状態で、筐体上面１１ａ（図１参照）に取り付けられている。また、電源用ボタン３０の非押圧時は、補助リング３３がボタン支持部１４に指示されることによって、電源用ボタン３０は、ボタン部３１のスイッチ押圧部３１ａが、基板部２０に設けられたスイッチ部２１に接触しないように構成される。一方、電源用ボタン３０の押圧時は、電源用ボタン３０は、ボタン部３１のスイッチ押圧部３１ａが、スイッチ部２１を押圧するように構成されている。また、電源用ボタン３０を構成するボタン部３１、赤外線フィルタ部３２および補助リング３３は、形状および材質に特徴を有する。次に、ボタン部３１、赤外線フィルタ部３２および補助リング３３の詳細な構造について説明する。
【００３２】
まず、図１０および図１１に示すように、スイッチ押圧部３１ａを含むボタン部３１は、赤外線フィルタ部３２を挿入するための開口部３１ｂと、開口部３１ｂの周辺部分に赤外線フィルタ部３２を取り付けるための赤外線フィルタ係合部３１ｃと、赤外線フィルタ係合部３１ｃに対向配置される取付フック３１ｄとが一体的に形成されている。この取付フック３１ｄは、遮光リブ３２ａの後述するボタン係合穴３２ｂと係合するように垂直方向に形成されている。また、ボタン部３１は、補助リング３３を取り付けるための２つのリング係合部３１ｅを有する。なお、取付フック３１ｄは、本発明の「係合部」の一例であり、ボタン係合穴３２ｂは、本発明の「係合孔部」の一例である。
【００３３】
また、本実施形態では、ボタン部３１は、表示用ＬＥＤ１２から出射される可視光線の透過が可能な半透明樹脂によって構成されている。これにより、表示用ＬＥＤ１２が点灯する状態をボタン部３１を介して使用者が視認可能である。
【００３４】
また、赤外線フィルタ部３２は、図１２および図１３に示すように、ボタン部３１（図１０参照）の赤外線フィルタ係合部３１ｃと係合するボタン係合部３２ｃを有する。また、赤外線フィルタ部３２は、可視光線を遮るとともに赤外線を透過可能なフィルタ機能を有する。また、赤外線フィルタ部３２に一体的に設けられた遮光リブ３２ａは、電源用ボタン３０（図２参照）の押圧時および非押圧時において、電子部品１６〜１８などに接触することがないように、後方に突出した形状に形成されている。また、遮光リブ３２ａは、ボタン部３１（図２参照）の垂直方向（矢印Ｆ方向）に形成された取付フック３１ｄ（図２参照）が挿入されるボタン係合穴３２ｂを有している。このボタン係合部３２ｄは、遮光リブ３２ａが後方に突出することにより形成される遮光リブ上面３２ｄに形成されている。
【００３５】
また、補助リング３３は、図２に示すように、ボタン部３１が挿入可能なボタン挿入穴３３ａと、筐体上面１１ａ（図１参照）に取り付けるための２つの筐体取付フック３３ｂとを有する。この筐体取付フック３３ｂは、補助リング３３の外周面３３ｃに一体的に形成されている。また、補助リング３３の内周面３３ｄには、ボタン部３１の２つのリング係合部３１ｅと係合する２つのボタン取付部３３ｅが一体的に形成されている。
【００３６】
図１４および図１５は、本発明の一実施形態による昇華型プリンタの電源用ボタンの組み立て方法および筐体への取り付け方法について説明するための斜視図である。次に、図２、図７、図１４および図１５を参照して、本発明の一実施形態による昇華型プリンタの電源用ボタンの組み立て方法および筐体への取り付け方法について説明する。
【００３７】
まず、図２、図１４および図１５に示すように、赤外線フィルタ部３２を、ボタン部３１の開口部３１ｂに対して、矢印Ｅ方向に挿入する。この際、赤外線フィルタ部３２のボタン係合部３２ｃを、ボタン部３１の赤外線フィルタ係合部３１ｃに係合するとともに、赤外線フィルタ部３２の遮光リブ３２ａに設けられたボタン係合穴３２ｂに、ボタン部３１の取付フック３１ｄを挿入し取り付ける。
【００３８】
次に、赤外線フィルタ部３２が取り付けられたボタン部３１を、補助リング３３のボタン挿入穴３３ａに対して、矢印Ｆ方向に挿入する。この際、ボタン部３１の２つのリング係合部３１ｅと、補助リング３３の内周面３３ｄに配置される２つのボタン取付部３３ｅとをそれぞれ係合する。これにより、電源用ボタン３０の組み立てが終了される。
【００３９】
次に、電源用ボタン３０を筐体１１（図７参照）の電源用ボタン穴１１ｃに取り付ける。この際、図２に示す矢印Ｆ方向に挿入し、２つの筐体取付フック３３ｂを筐体１１の電源用ボタン係合部１１ｄ（図７参照）に係合する。これにより、筐体１１（図１参照）に設けられたボタン支持部１４と補助リング３３とが接触する位置に配置される。
【００４０】
本実施形態では、上記のように、赤外線通信用の赤外線受光部１３ａと４つの表示用ＬＥＤ１２との間に遮光リブ３２ａを配置することによって、表示用ＬＥＤ１２から出射された光が赤外線受光部１３ａへ到達するのを抑制することができるので、赤外線受光部１３ａが表示用ＬＥＤ１２から出射される光を受光するのを抑制することができる。これにより、赤外線受光部１３ａが表示用ＬＥＤ１２から出射される光を受光することにより、画像形成装置１０が誤動作するのを抑制することができる。また、携帯電話６０などの外部機器から出射される赤外線を受光可能な赤外線受光部１３ａを設けることによって、携帯電話６０などの外部機器と光通信を行うことができる。
【００４１】
また、本実施形態では、赤外線受光部１３ａを覆うように配置され、可視光線を遮るとともに赤外線を透過可能なフィルタ機能を有する赤外線フィルタ部３２と、スイッチ押圧部３１ａを有するボタン部３１と、ボタン部３１を押圧方向（矢印Ｆ方向）に移動可能に支持するボタン支持部１４と、ボタン部３１のスイッチ押圧部３１ａの直下に配置されたスイッチ部２１とを設けることによって、可視光線を遮る赤外線フィルタ部３２により赤外線受光部１３ａを覆うことができるので、赤外線受光部１３ａに、表示用ＬＥＤ１２から出射される光のみならず、その他の可視光線が到達するのを抑制することができる。これにより、赤外線受光部１３ａが、表示用ＬＥＤ１２から出射される光のみならず、その他の可視光線を受光するのを抑制することができるので、画像形成装置１０が誤動作するのをより抑制することができる。
【００４２】
また、本実施形態では、ボタン部３１を、押圧されることにより、ボタン部３１のスイッチ押圧部３１ａがスイッチ部２１を押圧するように構成し、遮光リブ３２ａを、ボタン部３１が非押圧時のみならず、ボタン部３１が押圧時においても、電子部品１６〜１８に接触しない位置で、かつ、表示用ＬＥＤ１２からの光が赤外線受光部１３ａへ到達するのを抑制することが可能な位置に配置することによって、ボタン部３１が押圧されていない状態およびボタン部３１が押圧された状態の両方の状態において、赤外線受光部１３ａが表示用ＬＥＤ１２から出射される光を受光するのを抑制することができるので、画像形成装置１０が誤動作するのをより抑制することができる。
【００４３】
また、本実施形態では、ボタン部３１を、表示用ＬＥＤ１２から出射される可視光線の透過が可能なように構成することによって、表示用ＬＥＤ１２から出射される可視光線を、ボタン部３１を透過させることができるので、使用者に表示用ＬＥＤ１２から出射される可視光線を視認させることができる。
【００４４】
また、本実施形態では、ボタン部３１に取付フック３１ｄを設け、赤外線フィルタ部３２に一体的に設けられた遮光リブ３２ａに、ボタン部３１の垂直方向（矢印Ｆ方向）に形成された取付フック３１ｄが挿入されるボタン係合穴３２ｂを設けることによって、赤外線フィルタ部３２をボタン部３１に、容易に取り付けることができる。また、遮光リブ３２ａを、表示用ＬＥＤ１２から出射される光が赤外線受光部１３ａに向かう方向と交差する方向に延びるように設けることによって、表示用ＬＥＤ１２から出射された光が赤外線受光部１３ａへ到達することをより抑制することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、画像形成装置の一例としての昇華型プリンタに本発明を適用した例を示したが、本発明はこれに限らず、光通信用の受光部と表示用の発光素子部とを備えた画像形成装置であれば、昇華型プリンタ以外の他の画像形成装置にも適用可能である。
【００４７】
また、上記実施形態では、遮光リブを赤外線フィルタ部に一体的に設けた例を示したが、本発明はこれに限らず、遮光リブを赤外線フィルタ部とは別体で設けてもよい。
【００４８】
また、上記実施形態では、表示用の光を出射する発光素子部に表示用ＬＥＤを用いる例を示したが、本発明はこれに限らず、表示用の光を出射する他の発光素子部を用いてもよい。
【００４９】
また、上記実施形態では、赤外線フィルタ部が赤外線通信部全体を覆うように構成する例を示したが、本発明はこれに限らず、赤外線フィルタ部が、赤外線受光部のみを覆うように構成してもよい。
【００５０】
また、上記実施形態では、他の機器の例として携帯電話を示したが、本発明はこれに限らず、光通信が可能な機器であれば、携帯電話以外の他の機器を用いてもよい。
【図面の簡単な説明】
【００５１】
【図１】本発明の一実施形態による昇華型プリンタの全体構成を示した斜視図である。
【図２】図１に示した本発明の一実施形態による昇華型プリンタの電源用ボタン周辺の構成を示す分解斜視図である。
【図３】図１に示した本発明の一実施形態による昇華型プリンタの電源用ボタンの周辺を示す斜視図である。
【図４】図１に示した本発明の一実施形態による昇華型プリンタの電源用ボタンを示す斜視図である。
【図５】図１に示した本発明の一実施形態による昇華型プリンタの基板部周辺を示す平面図である。
【図６】図１に示した本発明の一実施形態による昇華型プリンタの電源用ボタン周辺を示す平面図である。
【図７】図６の１００−１００線に沿った断面図である。
【図８】図６の２００−２００線に沿った断面図である。
【図９】図１に示した本発明の一実施形態による昇華型プリンタの電源用ボタン周辺を示す斜視図である。
【図１０】図１に示した本発明の一実施形態による昇華型プリンタのボタン部を示す斜視図である。
【図１１】図１に示した本発明の一実施形態による昇華型プリンタのボタン部を示す平面図である。
【図１２】図１に示した本発明の一実施形態による昇華型プリンタの赤外線フィルタ部を示す斜視図である。
【図１３】図１に示した本発明の一実施形態による昇華型プリンタの赤外線フィルタ部を示す平面図である。
【図１４】図１に示した本発明の一実施形態による昇華型プリンタの電源用ボタンの組み立て方法および筐体への取り付け方法を説明するための斜視図である。
【図１５】図１に示した本発明の一実施形態による昇華型プリンタの電源用ボタンの組み立て方法および筐体への取り付け方法を説明するための斜視図である。
【符号の説明】
【００５２】
１０        昇華型プリンタ（画像形成装置）
１２        表示用ＬＥＤ（発光素子部）
１３ａ      赤外線受光部（受光部）
１４        ボタン支持部
１６〜１８  電子部品
２１        スイッチ部
３１        ボタン部
３１ａ      スイッチ押圧部
３１ｄ      取付フック（係合部）
３２        赤外線フィルタ部
３２ａ      遮光リブ
３２ｂ      ボタン係合穴（係合孔部）
６０        携帯電話６０（他の機器）
【図１】
2008132678.tif 000003
【図２】
2008132678.tif 000004
【図３】
2008132678.tif 000005
【図４】
2008132678.tif 000006
【図５】
2008132678.tif 000007
【図６】
2008132678.tif 000008
【図７】
2008132678.tif 000009
【図８】
2008132678.tif 000010
【図９】
2008132678.tif 000011
【図１０】
2008132678.tif 000012
【図１１】
2008132678.tif 000013
【図１２】
2008132678.tif 000014
【図１３】
2008132678.tif 000015
【図１４】
2008132678.tif 000016
【図１５】
2008132678.tif 000017